(57)【要約】【課題】  本発明は、保護者による制御レベル（ＰＣＬｉ）のセット間から選択された現在の保護者による制御レベル（ＣｕｒｒｅｎｔＰＣＬｉ）に基づいて保護者による制御アクセス段階（１０４）を有する、情報伝達媒体再生装置からサーバコンテンツへのユーザアクセスを制御する方法を提供する。【解決手段】  当該方法は、ａ）サーバアドレスのリスト（Ｌｉｓｔｉ）を前記保護者による制御レベル（ＰＣＬｉ）に関連付けるための関連付け段落（１０６）と、前記現在の保護者による制御レベル（ＣｕｒｒｅｎｔＰＣＬｉ）に関連付けられるサーバのリスト（Ｌｉｓｔｉ）へのユーザアクセスを制限するための制御段階（１０９）とを有する。【選択図】  図１
2011108259.tif 000002
【特許請求の範囲】
【請求項１】
情報伝達媒体再生装置から情報伝達媒体及びサーバへのユーザアクセスを制御する方法であって、該情報伝達媒体は予め設定された保護者による制御レベルに関連付けられており、情報伝達再生装置は保護者による制御レベルのセット間から選択された現在の保護者による制御レベルに関連付けられており、
前記保護者による制御レベルと前記予め設定された保護者による制御レベルとの間の比較から得られる制御信号によって制御される、前記情報伝達媒体へのアクセスを認める又は認めないための切り替え段階と、
サーバアドレスのリストを前記保護者による制御レベルに関連付けるための関連付け段階と、
前記現在の保護者による制御レベルに関連付けられるサーバアドレスのリストへのユーザアクセスを制限するための制御段階とを有する方法。
【請求項２】
前記制御段階を停止するための第一の制御サブ段階を有する請求項１記載の方法。
【請求項３】
いかなるサーバアドレスへのユーザアクセスを禁止するための第二の制御サブ段階を有する請求項１又は２記載の方法。
【請求項４】
予め設定された保護者による制御レベルに関連付けされる情報伝達媒体を読み取ろうとし、また、サーバへのユーザアクセスを制御しようとする情報伝達媒体再生装置であって、該情報伝達媒体再生装置は、保護者による制限レベルのセット間から選択された現在の保護者による制御レベルに関連付けられており、
前記現在の保護者による制御レベルと前記予め設定された制御レベルとの間の比較から得られる制御信号によって制御される、前記情報伝達媒体の読み取りを認める又は認めないための切り替え手段と、
サーバアドレスのリストを前記保護者による制限レベルに関連付けるための関連付け手段と、
前記現在の保護者による制御レベルに関連付けられるサーバアドレスのリストへのユーザアクセスを制限するための制御手段とを有する情報伝達媒体再生装置。
【請求項５】
情報伝達媒体再生装置から情報伝達媒体及びサーバへのユーザアクセスを制御する方法であって、該情報伝達媒体は予め設定された保護者による制御レベルに関連付けられており、情報伝達再生装置は保護者による制御レベルのセット間から選択された現在の保護者による制御レベルに関連付けられており、
前記現在の保護者による制御レベルと前記予め設定された保護者による制御レベルとの間の第一の比較から得られる第一の制御信号によって制御される、前記情報伝達媒体へのアクセスを認める又は認めないための第一の切り替え手段と、
前記現在の保護者による制御レベルと前記保護者による制御レベルのセットのうち最も高い保護者による制御レベルとの間の第二の比較から得られる第二の制御信号によって制御される、前記サーバへのアクセスを認める又は認めないための第二の切り替え手段とを有する方法。
【請求項６】
予め設定された保護者による制御レベルに関連付けされる情報伝達媒体を読み取ろうとし、また、サーバへのユーザアクセスを制御しようとする情報伝達媒体再生装置であって、該情報伝達媒体再生装置は、保護者による制限レベルのセット間から選択された現在の保護者による制御レベルに関連付けられており、
前記現在の保護者による制御レベルと前記予め設定された保護者による制御レベルとの間の第一の比較から得られる第一の制御信号によって制御される、前記情報伝達媒体の読み取りを認める又は認めないための第一の切り替え手段と、
前記現在の保護者による制御レベルと前記保護者による制御レベルのセットのうち最も高い保護者による制御レベルとの間の第二の比較から得られる第二の制御信号によって制御される、前記サーバへのアクセスを認める又は認めないための第二の切り替え手段とを有する方法。
【請求項７】
請求項１、２又は３記載の方法の段階を実行するためのコード命令を有するコンピュータプログラム。
【請求項８】
請求項５記載の方法の段階を実行するためのコード命令を有するコンピュータプログラム。
【発明の詳細な説明】
【技術分野】
【０００１】
本発明は、保護者による制限を有する情報伝達媒体再生装置からサーバコンテンツへのユーザアクセスを制御する方法に関する。
【０００２】
本発明は、ＤＶＤ再生装置のように保護者による制御レベル機能を実装する情報伝達媒体再生装置に適用する。
【背景技術】
【０００３】
ＤＶＤフォーラムは、ＷｅｂＤＶＤとして知られるＷｅｂ接続型ＤＶＤを標準化するワーキンググループＡＨ１−１２を確立した。これら新しい仕様書は、現在のＤＶＤビデオ仕様書の拡張である。これら新しい仕様書に準拠したＤＶＤビデオディスクが、再生されているＤＶＤディスクのコンテンツに直接的に関連する付加コンテンツを含む特定のＷｅｂサイトへのリンクによって公開されることが述べられている。これら特定のＷｅｂサイトは、再生装置がダウンロードすることができ、ＤＶＤディスクによって提供される元々のメニューの代わりに使用することができる新しいナビゲーションメニューとコンテンツとを含んでもよい。
【０００４】
ＷｅｂＤＶＤをサポートする再生装置は、上記付加コンテンツを含むＷｅｂサーバへ接続するための通信手段を有する。有利に、そのような通信手段は、また通常のＷｅｂブラウザ用のその他の通常のＷｅｂサイトへアクセスするために使用可能である。
【０００５】
同時に、ＤＶＤ再生装置は、今日では、保護者による制限機能を含んでいる。この機能の目的は、子供達に対して不適当であると判断されるＤＶＤディスクの再生を無効にすることである。この目的を達成するために、いくつかのＤＶＤは、特定の保護者による制限レベルで符号化されている。ディスクの保護者による制限レベルが（ＰＩＮコードを用いて保護者によって設定される）ＤＶＤ再生装置の保護者による制限レベルより高い場合、再生装置はそのディスクを再生しない。この機能は、保護者に再生装置にて再生可能なＤＶＤコンテンツのタイプを制限させることができる。
【０００６】
そのような保護者による制限レベル機能を実装するＤＶＤ再生装置において、子供達にとって不適切であると判断される通常のＷｅｂサイトへのアクセスを限定或いは制限することができないため、この機能は制限され、もはや適切ではない。
【発明の概要】
【発明が解決しようとする課題】
【０００７】
本発明の目的は、保護者による制限アクセスを有する情報伝達媒体再生装置からサーバコンテンツへのユーザアクセスを制御する第一及び第二の方法を提案することである。
【課題を解決するための手段】
【０００８】
本発明に係る制御方法は、情報伝達媒体再生装置において使用される既存の保護者による制限アクセスを活用する。そのような制御アクセスは、保護者による制御レベルのセット間から選択された保護者による制御レベルに基づく。
【０００９】
サーバコンテンツへのユーザアクセスを制御する、本発明に係る第一の方法は、
−  サーバアドレスを前記保護者による制御レベルに関連付けるための関連付け段階と、
−  前記現在の保護者による制御レベルに関連付けられるサーバアドレスのリストへのユーザアクセスを制限するための制御段階と
を有する。
【００１０】
サーバアドレスと各保護者による制御レベルとの関連付けは、再生装置に現在セットされている保護者による制御アクセスに適応する内容のＷｅｂサイトへのアクセスを許す。
【００１１】
この方法は、保護者による制御レベル機能をもつ既存のＤＶＤ再生装置にて簡単に実装可能である。
【００１２】
付加特徴によれば、制御する方法は、前記制御段階を停止するための第一の制御サブ段階を有する。
【００１３】
この制御サブ段階は、ユーザにいかなるサーバアドレスへもアクセスを可能とする。
【００１４】
付加特徴によれば、制御する方法は、いかなるサーバアドレスへのユーザアクセスを禁止するための第二の制御サブ段階を有する。
【００１５】
サーバコンテンツへのユーザアクセスを制御する、本発明に係る第二の方法は、前記現在の保護者による制御レベルと最も高い保護者による制御レベルとの間の比較に基づいているおり、サーバコンテンツへのユーザアクセスをブロックするための制御段階を有する。
【００１６】
再生装置の現在の保護者による制御レベルが最も高い保護者による制御レベルより低い場合、恐らく子供達は再生装置を使用していると断定される。その場合、いかなるサーバアドレスへのユーザアクセスをもブロックすることが決定される。
【００１７】
本発明は、また、保護者による制御レベルのセット間から選択された現在の保護者による制御レベルに基づく保護者による制御アクセスシステムを有する情報伝達媒体、サーバコンテンツへのユーザアクセスを制御するための処理手段を有する情報伝達媒体再生装置に関し、その情報伝達媒体再生装置は、
−  サーバアドレスのリストを前記保護者による制御レベルに関連付けるための関連付け手段と、
−  前記現在の保護者による制御レベルに関連付けられるサーバアドレスのリストへのユーザアクセスを制限するための制御手段と
を有する。
【００１８】
本発明は、また、サーバコンテンツへのユーザアクセスを制御するための処理手段を有する情報伝達媒体再生装置に関し、その情報伝達媒体再生装置は、保護者による制御レベルのセット間から選択される現在の保護者による制御レベルに基づく保護者による制御アクセスシステムを有し、この情報伝達媒体再生装置は、また、前記現在の保護者による制御レベルと最も高い保護者による制御レベルとの間の比較を実行することを意図されて、サーバコンテンツへのユーザアクセスをブロックするための制御手段を有する。
【００１９】
そのような情報伝達媒体再生装置は、一般のＷｅｂブラウジングのためのアクセス制御が実行されるので、既存の情報伝達媒体再生装置のユーザアクセス制御機能を向上する。そのような情報伝達媒体再生装置はＤＶＤ再生装置へ対応してもよい。
【００２０】
本発明は、また、本発明に係る第一の方法の段階を実行するためのコード命令を有する第一のコンピュータプログラムに関する。
【００２１】
本発明は、また、本発明に係る第二の方法の段階を実行するためのコード命令を有する第二のコンピュータプログラムに関する。
【００２２】
本発明の詳細な説明と他の態様は以下に与えられる。
【図面の簡単な説明】
【００２３】
【図１】図１は、サーバコンテンツへのユーザアクセスを制御する本発明に係る第一の方法を示す図である。
【図２】図２は、サーバコンテンツへのユーザアクセスを制御する本発明に係る第二の方法を示す図である。
【発明を実施するための形態】
【００２４】
本発明の特定の形態は、以下に記載される実施例を参照することによって説明され、また、同一の部分又はサブ段階は、同一の方法にて指定される添付の図面と共に考察される。
【００２５】
図１は、サーバコンテンツへのユーザアクセスを制御する本発明に係る第一の方法を示す図である。この図は、サーバ１０３とネットワーク１０２を介して通信する情報伝達媒体再生装置１０１を示す。例えば、遠隔のＷｅｂサイト１０３とインターネット・ネットワーク１０２を介して通信するＤＶＤ再生装置１０１が記述されている。
【００２６】
再生装置１０１は、米国映画協会（ＭＰＡＡ）評価システムに基づいて、保護者による制限アクセス段階１０４を有する。
【００２７】
次の表１は、再生装置にセット可能な異なる保護者による制限レベル（ＰＣＬ）を示している。最高レベルのＰＣＬ＝８は、アダルトコンテンツに関係し、一方で、最低レベルのＰＣＬ＝１は子供向け安全コンテンツに関係する。
【００２８】
【表１】
2011108259.tif 000003
この保護者による制限アクセス段階は、情報伝達媒体１０５（そして、結果として、このＤＶＤへとリンクされる特定のＷｅｂサイトへの制御アクセス）のコンテンツへのアクセスを制御するために使用される。段階１０４は、（ＤＶＤ＿ＰＣＬによって指定される）ディスクの保護者による制御レベルと、再生装置１０１に設定される（Ｃｕｒｒｅｎｔ＿ＰＣＬ＿ｉによって指定される）現在の保護者による制御レベルとの間の比較から得た制御信号によって制御されるスイッチと同様である。Ｃｕｒｒｅｎｔ＿ＰＣＬ＿ｉがＤＶＤ＿ＰＣＬより高いか又は等しい場合のみ、ユーザはディスクコンテンツ（及び、またこのＤＶＤへとリンクされる特定のＷｅｂサイト）へアクセスすることができる。インデックスｉは、表１に定義されるようなＭＰＡＡ評価値の一つに対応する。
【００２９】
本発明に係る方法は、ＰＣＬをサーバアドレスのリストに関連付けるための関連付け段階１０６を有する：
−  サーバアドレスＬｉｓｔ＿８は、値８をもつＰＣＬに関連付けられる（ＰＣＬ＿８によって指定される）、
−  サーバアドレスＬｉｓｔ＿１は、値１をもつＰＣＬに関連付けられる（ＰＣＬ＿１によって指定される）、
−  など・・・
一般的に言えば、サーバアドレスＬｉｓｔ＿ｉは、値ｉをもつＰＣＬに関連づけられる（ＰＣＬ＿ｉによって指定される）。
【００３０】
各リストＬｉｓｔ＿ｉは、再生装置１０１のパラメータをセットするために、権限をもつ人によって設定されたサーバアドレスのセットを有する。例えば、そのような設定は、ＰＩＮコード及び／又はパスワードを入力することによってなされてもよい。サーバのリストは、ユーザインターフェース１０８を介して（例えば、キーボードから）、手動で定義してもよいし、又は、Ｗｅｂサイトに位置する外部の特定のデータベース１０７からロード又は再生装置１０１によって読み取られた情報伝達媒体に格納してもよい。
【００３１】
現在の保護者による制限レベルＣｕｒｒｅｎｔ＿ＰＣＬ＿ｉと関連付けられるサーバアドレスのリストＬｉｓｔ＿ｉは、より低いレベルの保護者による制御レベルに関連付けられるサーバアドレスのリストを有する。
【００３２】
サーバアドレスは、例えば、Ｗｅｂサイトアドレス又はＦＴＰアドレスに対応する。
【００３３】
本発明に係る方法は、上記現在の保護者による制限レベルＣｕｒｒｅｎｔ＿ＰＣＬ＿ｉと関連付けられるサーバアドレスＬｉｓｔ＿ｉのリストへのユーザアクセスを制限するための制御段階１０９を有する。この制御段階１０９は、現在の保護者による制御レベルＣｕｒｒｅｎｔ＿ＰＣＬ＿ｉと同一の評価ｉをもつ保護者による制御レベルＰＣＬ＿ｉに関連付けられるリストのサーバアドレスに対してのみ再生装置１０１及びネットワーク１０２に接続するセレクターと同様である。
【００３４】
発明に係る方法は、また、上記制御段階を停止するための第一の制御サブ段階１１０を有する。このサブ段階１１０は、ユーザインターフェース１０８によって生成される第一の制御信号１１１によって制御されるセレクターと同様である。例えば、この制御信号１１１は、再生装置１０１のパラメータの設定の変更にて、ユーザによって生成される。このセレクターは、リストＬｉｓｔ＿ｉに格納されるサーバアドレスを受信するための制御段階１０９に接続されるか、又は、ユーザインターフェース１０８に接続される。この後者の場合、ユーザは、例えば、キーボードを介してサーバアドレスをタイプすることによって、望むどのサーバアドレスをもアクセスできる。
【００３５】
本発明に係る方法は、また、いかなるサーバアドレスへのユーザアクセスを禁止するための第二の制御サブ段階１１２を有する。このサブ段階１１２は、ユーザインターフェース１０８によって生成された第二の制御信号１１３によって制御されたスイッチと同様である。例えば、この制御信号１１３は、再生装置１０１のパラメータの設定の変更にてユーザによって生成される。閉じたとき、このスイッチは、スイッチ１０９によって実行される制御アクセスをＷｅｂブラウジングに適用することを許し、Ｗｅｂサイトへのアクセスは、このスイッチが開いたとき不可能となる。
【００３６】
再生装置１０１は、アクセスされたサーバのコンテンツの表示の変更にてディスプレイ１１４のみならず、ＤＶＤディスク１０５のコンテンツ及びこのディスクにリンクされる特定のサーバのデータとも関連付けられている。
【００３７】
図２は、サーバコンテンツへのユーザアクセスを制御する本発明に係る第二の方法を示す。
【００３８】
この方法は、サーバコンテンツへのユーザアクセスをブロックするための制御段階２０１を有する。この制御段階２０１は、比較段階２０３によって生成される制御信号２０２によって制御されるスイッチと同様である。比較段階２０３は、現在の保護者による制御レベルＣｕｒｒｅｎｔ＿ＰＣＬ＿ｉと最も高い保護者による制御レベルＰＣＬ＿８との間の比較を実行する。
【００３９】
Ｃｕｒｒｅｎｔ＿ＰＣＬ＿ｉ＜ＰＣＬ＿８ならば、再生装置１０１が若者によってアクセスされようとしていると想定される。この場合、比較段階２０３は、スイッチ２０１を開く第一の状態をもつ制御信号２０２を生成する。結果として、ユーザは、サーバアドレスへアクセスすることができない。
【００４０】
Ｃｕｒｒｅｎｔ＿ＰＣＬ＿ｉ=ＰＣＬ＿８ならば、再生装置１０１が若者によってアクセスされようとしていると想定される。この場合、比較段階２０３は、スイッチ２０１が閉じる第二の状態をもつ制御信号２０２を生成する。よって、ユーザは、例えば、ユーザインターフェース１０８からサーバアドレスを入力することによってサーバアドレスをアクセスすることができる。
【００４１】
本発明に係る制御する方法は、ＤＶＤ再生装置のような情報伝達媒体、又は、ＤＶＤ再生装置（ＰＤＡ、携帯電話、・・・）を有する可搬装置に実装される。
【００４２】
そのような方法は、（配線された電子回路、メモリ、信号処理のような）ハードウェア素子を用いて、又は、メモリ装置に格納されたコード命令を有するコンピュータプログラムのようなソフトウェア素子を用いて実装される。
【００４３】
用語「有する」は、請求項に列挙される要素以外の要素の存在を排除するものではない。
【符号の説明】
【００４４】
１０１  情報伝達媒体再生装置
１０２  ネットワーク
１０３  サーバ
１０４  保護者による制限アクセス段階
１０５  情報伝達媒体
１０６  関連付け段階
１０７  データベース
１０８  ユーザインターフェース
１０９  制御段階
１１０  第一の制御サブ段階
１１１  第一の制御信号
１１２  第二の制御サブ段階
１１３  第二の制御信号
１１４  ディスプレイ
２０１  制御段階
２０２  制御信号
２０３  比較段階
【図１】
2011108259.tif 000004
【図２】
2011108259.tif 000005